(57)【要約】  電子フロアディスプレイシステム（１００）は、フロアディスプレイシステムの近くまたは上に立っている人に、見下ろしてディスプレイに気付かせるよう仕向けるためのアラート機能（１０５、２０５）を有する。ディスプレイシステムは、外殻（１１０）および透明または半透明のカバー（１１５）を有するハウジングと、制御装置（１２０）、複数の検知装置（１０３）、複数のアラート装置（１０５、２０５）、および１つまたは複数の電子ディスプレイ装置（１１７）を含む封入および／または支持部材を備える。
2008510184.tif 000002
【特許請求の範囲】
【請求項１】
電子ディスプレイ装置と、
人の検出に応じてアラートを発生させるアラート装置と、
を備えるフロアディスプレイシステム。
【請求項２】
前記電子ディスプレイ装置のためのハウジングをさらに備えるフロアディスプレイシステムであって、
前記アラート装置は、前記ハウジングの上に立っている人の前記検出に応じてアラートを発生させる、請求項１に記載のフロアディスプレイシステム。
【請求項３】
前記アラートは振動を備える、請求項１に記載のフロアディスプレイシステム。
【請求項４】
前記アラートは光を備える、請求項１に記載のフロアディスプレイシステム。
【請求項５】
前記アラートは音を備える、請求項１に記載のフロアディスプレイシステム。
【請求項６】
前記検出は所定時間の前記ハウジング上の圧力に基づく、請求項２に記載のフロアディスプレイシステム。
【請求項７】
前記検出は所定時間の前記ハウジング上の光の強度変化に基づく、請求項２に記載のフロアディスプレイシステム。
【請求項８】
前記アラートは周期的である、請求項１に記載のフロアディスプレイシステム。
【請求項９】
前記アラートは連続的である、請求項１に記載のフロアディスプレイシステム。
【請求項１０】
前記アラートは強度が可変である、請求項１に記載のフロアディスプレイシステム。
【請求項１１】
前記アラートの持続時間が可変である、請求項１に記載のフロアディスプレイシステム。
【請求項１２】
前記ハウジングの上に立っている人に関連する物理的作用を記録するための検知装置をさらに備える、請求項２に記載のフロアディスプレイシステム。
【請求項１３】
前記検知装置からの入力に基づいて、人が前記ハウジングの上に立っているかを判断するための制御装置をさらに備える、請求項２に記載のフロアディスプレイシステム。
【請求項１４】
前記検知装置は圧力を検知する、請求項１２に記載のフロアディスプレイシステム。
【請求項１５】
前記検知装置は光を検知する、請求項１２に記載のフロアディスプレイシステム。
【請求項１６】
前記アラート装置は振動を発生するためのアクチュエータを備える、請求項２に記載のフロアディスプレイシステム。
【請求項１７】
前記アラート装置は視覚刺激を発生する、請求項１に記載のフロアディスプレイシステム。
【請求項１８】
前記アラート装置は聴覚刺激を発生する、請求項１に記載のフロアディスプレイシステム。
【請求項１９】
前記アクチュエータは圧電アクチュエータを含む、請求項１６に記載のフロアディスプレイシステム。
【請求項２０】
前記アラート装置は発光ダイオードを含む、請求項１７に記載のフロアディスプレイシステム。
【請求項２１】
前記アラート装置はストローブ信号を発生する、請求項１７に記載のフロアディスプレイシステム。
【請求項２２】
前記電子ディスプレイ装置は、液晶ディスプレイ、電子ペーパー、電子インク、発光ポリマー、有機発光ダイオード、マイクロカプセル化した部材、および画素のうち少なくとも１つを含む、請求項１に記載のフロアディスプレイシステム。
【発明の詳細な説明】
【技術分野】
【０００１】
本出願は、米国特許法１１９条（ｅ）項に基づいて、２００４年８月１０日に出願された米国仮出願番号第６０／５９９，８７８号の利益を主張するものである。さらに本出願は、米国特許法１１９条（ｅ）項に基づいて、２００３年１２月３日に出願された米国仮出願番号第６０／５２６，２７１号の利益を主張するものである、２００４年１２月３日に出願された同時係属中の出願番号第１１／００２，２７６号の一部継続出願である。出願番号第１１／００２，２７６号は、米国特許法１１９条（ｅ）項に基づいて、２００２年６月５日に出願された米国仮出願番号第６０／３８５，５７９号の利益を主張するものである、２００３年６月５日に出願された同時係属中の出願番号第１０／４５４，６３１号の一部継続出願である。出願番号第１０／４５４，６３１号は、米国特許法１１９条（ｅ）項に基づいて、２００２年５月１６日に出願された米国仮出願番号第６０／３７８，０７０号の利益を主張するものである、２００３年５月１６日に出願された同時係属中の出願番号第１０／４３８，９２３号の一部継続出願である。出願番号第１０／４３８，９２３号は、２００２年５月３日に出願され、２００３年１月１４日に米国特許第６，５０７，２８５号として発行された、出願番号第１０／１３７，３５７号の継続出願である、２００２年１１月１日に出願された同時係属中の出願番号第１０／２８５，６３９号の一部継続出願である。出願番号第１０／１３７，３５７号は、２００１年１月２４日に出願され、２００２年７月９日に米国特許第６，４１７，７７８号として発行された、出願番号第０９／７６７，８４６号の継続出願である。出願番号第０９／７６７，８４６号は、１９９９年１０月１５日に出願され、現在は放棄されている出願番号第０９／４１８，７５２号の継続出願である。出願番号第０９／４１８，７５２号は、１９９９年５月４日に出願され、２００１年４月２４日に米国特許第６，２１９，８７６号として発行された、出願番号第０９／３０４，０５１号の一部継続出願である。さらに、本出願は、米国特許法１１９条（ｅ）項に基づいて、２００３年１月２２日に出願された米国仮出願番号第６０／４４１，４０８号の利益を主張するものである、２００４年１月２０日に出願された同時係属中の出願番号第１０／７５９，１６７号の一部継続出願である。出願番号第１０／７５９，１６７号は、米国特許法１１９条（ｅ）項に基づいて、以下のとおり特定する米国仮出願の利益を主張するものである、２００３年１０月１０日に出願された同時係属中の出願番号第１０／６８２，４３５号の一部継続出願である。２００２年１０月１２日に出願された出願番号第６０／４１８，６２６号、２００２年１１月２１日に出願された出願番号第６０／４２８，３８７号、および２００２年１１月２３日に出願された出願番号第６０／４２９，０４４号。出願番号第１０／６８２，４３５号は、２００３年５月１６日に出願された同時係属中の出願番号第１０／４３８，９２３号の一部継続出願である。上記特定した出願および特許の各々の内容全体は参照により本明細書に組み込まれるものとする。
【背景技術】
【０００２】
内容全体が参照により本明細書に完全に組み込まれる、Ｂｌｕｍ  ｅｔ  ａｌによる米国特許第６，４１７，７７８号は、動的な画像およびテキストによって情報の伝達を可能にする、フロアに関連する電子ディスプレイ装置を記載している。本開示は、このような電子ディスプレイ装置の、種々の新規かつ有利な特徴に関する。
【０００３】
例えば、電子ディスプレイ装置は、ディスプレイ装置のための保護ハウジング、制御電子装置、検知器およびその他の部材を含むフロアディスプレイシステム全体に含まれてもよい。つまずく危険が生じるのを防ぐため、フロアディスプレイシステムを、人の歩行への障害を最小限にするよう設計してもよい。従って、フロアディスプレイシステムは、非常に薄く、フロアとほぼ同一平面上にあるかまたはフロアに埋め込まれるなどのものであってもよく、フロアディスプレイシステムは、歩いて横切ったり上に乗ったりが非常に容易になる。
【発明の開示】
【発明が解決しようとする課題】
【０００４】
市場調査によると、ほとんどわずかにしか目立たない外形のため、人の通常の歩幅に及ぼす影響の点から見て、実際にフロアディスプレイシステムの近くまたは直上に立っている間でさえも、人（例えば、店の買い物客）が上記の設計を有するフロアディスプレイに気付かないこともあることを示唆している。従って、人が見下ろしてメッセージまたは広告などのディスプレイのコンテンツを把握することができるよう、人がその近くまたは上に立っているとき、人にフロアディスプレイシステムの存在への注意を喚起することが必要である。
【課題を解決するための手段】
【０００５】
本発明の実施形態は、電子ディスプレイ装置と、電子ディスプレイ装置のためのハウジングと、人の検出に応じてアラートを発生させるアラート装置とを備えるフロアディスプレイシステムに関する。前記人は、フロアディスプレイシステムの近くにいてもよい。例えば、人は、ハウジングの近くにいるまたは上に立っていてもよい。アラートは、人の注意を引くための、任意の種類の刺激であってもよい。例えば、アラートは、振動、光、音、またはこれらの任意の組み合わせを含んでもよい。検出は、ハウジングの近くにいるまたは上に立っている人に関連する任意の種類の物理的作用に基づいてもよい。例えば、作用は、所定時間ハウジングの上に立っている人の体重によって加えられる圧力を含むことが可能である。別の例として、作用は、ハウジングの近くにいるまたは上に立っている人が周辺光または初期光を遮断することによって起こる、所定時間のハウジング上の光の強度変化を含むことが可能である。
【発明を実施するための最良の形態】
【０００６】
図１は、本発明の実施形態によるフロアディスプレイシステム１００を示す。システム１００は、外殻１１０に縁取られた透明または半透明の保護カバー１１５を備えるハウジングを含んでもよい。外殻１１０は、薄いエッジに向かってテーパする傾斜面を備えてもよい。ハウジングは、傾斜面および薄いエッジがディスプレイシステムにつまずく可能性を減らす役割を果たしている場合には、上を歩くことを可能としてもよい。さらに、ハウジングは立ててもよい。ハウジングは、１つまたは複数の電子ディスプレイ装置１１７を封入し、それ／それらを損傷から保護してもよい。
【０００７】
複数の検知装置１０３は、ハウジングの近くにいるまたは上に立っている人に関連する作用を検知するよう、ハウジングの上または中に配置してもよい。例えば、検知装置１０３は、人の体重を検知するための圧力検知装置を含んでもよい。さらにまたは代わりに、検知装置１０３は、光応答性装置または温度検知装置を含んでもよい。光応答性装置は、ハウジングの近くにいるまたは上に立っていることで人の体が光を遮断することによって起こる、保護カバー１１５に当たる光の強度の減少を検知することが可能である。実施形態では、光応答性装置は、周辺光からの光エネルギーを受け、受けた光エネルギー量をレジスタが変更する受動装置とすることが可能である。他の実施形態では、光応答性装置は、光またはその他の放射物などの電磁エネルギーを放射し、放射された光エネルギーが反射されるか遮断されるかに基づいて信号を発生させる、レーザなどの能動検知装置とすることが可能である。実施形態は、受動および能動装置の両方を含むことも可能である。
【０００８】
上記のように、圧力検知装置または温度検知装置も、ハウジングの上に立っている人を検出するのに用いることが可能である。圧力検知装置、温度検知装置、および光応答性装置はそれぞれ、単独でも、相互の組み合わせでも、他の種類の検知装置との組み合わせでも用いることが可能である。
【０００９】
検知装置１０３は、ハウジングの上、中、または近傍のどこに配置してもよい。例えば、透明／半透明の保護カバー１１５および／または縁取っている外殻１１０の下に配置することが可能である。さらにまたは代わりに、保護カバー１１５および／または縁取っている外殻１１０の上面に配置する、または保護カバー１１５および／または縁取っている外殻１１０に埋め込むことも可能である。例えば、保護カバー１１５および／または縁取っている外殻１１０は、検知装置アレイは保護されているが、光および／または圧力および／または温度の変化を検知できるように、中に検知装置アレイを収容するよう機械加工または組み立てられることが可能である。受動または能動光応答性装置は、例えば、ハウジングに近接して配置可能であるが、必ずしもハウジングの上または中とは限らない。
【００１０】
フロアディスプレイシステム１００は、さらに制御装置１２０を備えてもよい。制御装置１２０は、検知装置１０３に連結してもよい。制御装置１２０は、例えば、ソフトウェアで書き換え可能な汎用マイクロプロセッサ、またはＡＳＩＣ（特定用途向け集積回路）のような、任意の種類の電子論理回路を含んでもよい。制御装置に、人がフロアディスプレイシステム１００のハウジングの近くにいるまたは上に立っているかを決定する論理をプログラムしてもよい。人はフロアディスプレイシステムに単に通りかかりまたは横切り、かなりの時間ハウジングの近くあるいは上で立ち止まることはないであろうから、この操作は有利であろう。このような動きは、人がシステムのディスプレイに注目しているかどうか判断するのには役立たないであろう。一方、人がディスプレイに注目しているなら、その人はディスプレイの視界を覆い隠さないようにするために移動すると思われるので、所定時間ハウジングの上に立っているということは、立っている人はディスプレイに注目していないことを意味するであろう。
【００１１】
従って、制御装置１２０は、検知装置１０３からの入力を受け、人がフロアディスプレイシステム１００のハウジングの近くまたは上に立っているかを入力に基づいて決定する論理を実行するよう設定してもよい。論理は、任意の種類の演算またはアルゴリズムを含むことが可能であるが、少なくとも一部は、検知装置１０３によって記録され制御装置１２０に入力される、ハウジングの近くまたは上に立っている人に関連する物理的作用の測定に基づくことが可能である。例えば、所定時間続くある程度の圧力が検知装置によって記録されると、制御装置１２０によって、人がハウジングの上に立っていることを示すと解釈されることが可能である。制御装置１２０またはそれと関連するデータ記憶媒体は、例えば、圧力の大きさに対する所定値または値の範囲、および時間閾値に対する対応する所定値を含むデータテーブルを記憶することが可能である。例えば、検知装置から入力される測定値をこれらの所定値と比較することにより、制御装置は人がハウジングの上に立っているかを決定することが可能となる。
【００１２】
同様に、検知装置によってある期間にわたって周辺光または初期光の強度変化を測定することが可能であり、この測定は制御装置に入力することが可能である。制御装置は、測定値を所定値および時間閾値と比較し、人がハウジングの近くまたは上に立っているかを決定することが可能である。光の強度変化を記録するため、例えば、光エネルギーのベースラインレベルを複数の検知装置によって受けた光エネルギーの平均値に基づいて求め、測定された光の強度をこのベースライン値と比較することが可能である。
【００１３】
温度または任意の物理的作用の測定変化によって、同様の判定を行うことが可能である。制御装置の判定は、圧力、光、温度またはその他を含む複数の異なる種類の物理的作用を測定する検知装置からの入力の組み合わせに基づくことが可能である。
【００１４】
図１は、さらに複数のアラート装置１０５を示す。制御装置１２０は、さらにアラート装置と連結してもよい。アラート装置１０５は、人がフロアディスプレイシステム１００のハウジングの近くまたは上に立っていると制御装置１２０が判断した場合、制御装置１２０によってアラートを発生するよう作動されることが可能である。アラート装置は、例えば、振動を発生するための電気機械アクチュエータを含むことが可能である。振動は、立っている人に感知され、ディスプレイを見下ろさせることが可能である。アクチュエータは、例えば、圧電アクチュエータであってもよい。
【００１５】
図２は、点滅光または閃光などの何らかの視覚刺激を発生する装置を表すアラート装置２０５を有するフロアディスプレイシステム１００の実施形態を示す。視覚刺激を発生するためのアラート装置は、例えば発光ダイオードを含むことが可能である。アラート装置２０５は、保護カバーを縁取っている外殻の中または上に配置してもよいが、この配置に限定されるものではない。アラート装置２０５はまた、ジングル音楽などの聴覚刺激を発生するための音声発生装置を表すと考えてもよい。図２に示すように、制御装置１２０は、検知装置１０３およびアラート装置２０５の両方に連結してもよい。検知装置１０３からの入力に基づき、制御装置１２０はアラート装置２０５を作動してもよい。通常本発明の実施形態によるアラート装置は、振動、視覚、聴覚またはその他の刺激を発生する装置の任意の組み合わせを含むことが可能である。フロアディスプレイシステムにより発生されたこれらの刺激は、フロアディスプレイシステム１００のハウジングの近くまたは上に立っている人にディスプレイを見下ろさせる効果を有するであろう。アラート装置により発生したアラートは、周期的でも、連続的でも、強度または持続時間が可変であってもよい。
【００１６】
先に述べたように、フロアに関連する電子ディスプレイは、既に開示されている。さらに具体的には、米国特許第６，４１７，７７８号が、フロアに関連する電子ディスプレイ装置によって情報を電子的に伝達するシステムを開示している。電子ディスプレイ装置は、例えば液晶ディスプレイのような表面を呈する変更可能な電子ディスプレイを組み込んでもよい。ディスプレイはコンピュータに接続され、コンピュータが生成した画像はディスプレイに表示することが可能である。従って、異なるコンピュータ画像を生成し、ディスプレイにそのコンピュータ画像を表示することにより、ディスプレイに表示される画像は変更することが可能である。ディスプレイは、フロアカバーリングのベース部に、凹部内に組み込むなどして関連させることが可能であり、またはフロアカバーリングの挿入部の底面に上向きに組み込むことも可能である。あるいは、ディスプレイは、ベース部または挿入部に一体成形することも可能である。変更可能なディスプレイは、任意の様々な方法でディスプレイに表示できる複数の異なるグラフィックスを用いることが可能である。例えば、多数のグラフィックスを個別にまたは組み合わせて表示するいずれも例示的な手法で、グラフィックスをディスプレイの略固定位置に表示、またはディスプレイにわたってスクロールすることが可能である。
【００１７】
フロアカバーリングに表示されたグラフィックスを変更するための別の方法として、発光ポリマーを用いてグラフィックスを形成ひいては変更する方法がある。発光ポリマーは、フロアカバーリングに塗布、付着、または織り込み可能である。発光ポリマーは、例えば、ベース部または挿入部、またはフロアカバーリングの異なる実施形態の任意のその他の部分など、フロアカバーリングの任意の部分に用いてもよい。発光ポリマーは公知であり、内容全体が参照により本明細書に組み込まれるものとする、米国特許第５，９４５，５０２号、第５，８６９，３５０号、および第５，５７１，６２６号に記載されている。
【００１８】
ディスプレイに対するその他の選択肢は、電子インクまたは電子ペーパーの使用である。電子ペーパーは、Ｘｅｒｏｘ社から入手でき、内容全体が参照により本明細書に組み込まれるものとする、米国特許第５，７２３，２０４号、第５，６０４，０２７号、第４，１２６，８５４号、および第４，１４３，１０３号に記載されている。電子ペーパーは、各々が人間の毛髪程度の幅を有するジリコンと呼ばれる無数の極めて小さい帯電ビーズを用い、画素を形成する。２色に塗り分けられたビーズは、紙の表面を形成する液体充填プラスチックシートの内部に埋め込まれている。各ビーズは、半分が黒、半分が白で、電場に応じて回転する。ビーズが黒側を上にしているか白側を上にしているかにより画像が決定される。画像をリフレッシュする必要がなく、スクリーンがバックライト式でないので、電子ペーパーは、従来の電子ディスプレイが用いる電力のほんのわずかしか用いない。電磁スタイラスおよびプリンタのような装置は、画像を紙に写すのに使用できる。
【００１９】
電子インクは、Ｅ  Ｉｎｋ社（マサチューセッツ０２１３８，ケンブリッジ，スピナリプレイス４５）から入手できる。電子インクは、マイクロカプセル化した微小機械ディスプレイシステムを使用している。画素を形成するよう、極めて小さいマイクロカプセルが２枚のプラスチックの間に捕捉されている。あるいは、カプセルを表面に吹き付けてもよい。その結果、フレキシブルなディスプレイ材料となる。極めて小さいマイクロカプセルは透明であり、濃インクと白の塗料チップの混合物を含有している。電荷はカプセルを通過する。静電荷によって、塗料チップは各カプセルの上部に浮くか下部に静止する。塗料チップが上部に浮いている場合、表面は白に見える。下部ひいてはインクの下に静止している場合は、表面は黒に見える。２つの状態、黒または白は、それぞれ安定している。シート表面一面に敷設された透明な電磁グリッドは、画像の形状を制御する。ディスプレイは、例えば、Ｍｏｔｏｒｏｌａ社ページングシステムを用いることにより、例えば、コンピュータひいてはワールドワイドウェブに無線で接続してもよい。多数のディスプレイが用いられている場合、ウェブページを介して、単一のエディタで全てのディスプレイのテキストを一気に変更することができる。
【００２０】
本発明の実施形態で用いてもよいディスプレイ技術は、上記の技術に加えて、発光ダイオード（ＬＥＤ）、有機発光ダイオード（ＯＬＥＤ）、電子発光（ＥＬ）ディスプレイ、プラズマディスプレイパネル（ＰＤＰ）、電界放出ディスプレイ（ＦＥＤ）、強誘電性ディスプレイ、発光ポリマー、画素、マイクロカプセル化した部材、および光ファイバーディスプレイが挙げられる。
【００２１】
上記に開示したフロアディスプレイシステムは、店舗、公共建築物または家への通路などの歩行者またはその他（例えば、車輪の付いたショッピングカート）の往来がある場所で用いてもよい。このような環境下では、歩行者またはその他の往来によって、強い力がフロアディスプレイシステムに与えられる可能性がある。電子ディスプレイ装置をこのような力およびその他の要因による損傷から適切に保護するための技術が開示されている。その技術には、電子ディスプレイ装置を覆う強化ガラスまたはプラスチックなどの、強く、耐久性のある保護材料を用いる技術がある。より高度な保護構造も開示されている。例えば、内容全体が参照により本明細書に組み込まれるものとする、米国特許出願第１０／４５４，６３１号は、フロアに関連する電子ディスプレイ装置のためのモジュール式保護構造を記載している。
【００２２】
米国特許出願第１０／４５４，６３１号に記載されているように、電子ディスプレイアセンブリは、複数のディスプレイモジュールを備えてもよい。干渉ディスプレイが複数のディスプレイモジュール上にあってもよい。つまり、個別のディスプレイモジュールはディスプレイの小部分だけを示すが、複数のディスプレイモジュールの集合は、完全なまたは統合されたディスプレイを示してもよい。一方、各モジュールは、無関係な画像および／またはテキストを表示するよう設定することが可能である。
【００２３】
さらに具体的には、ディスプレイモジュールは、本明細書に開示された技術、およびその他、具体的に開示していない技術を含む、任意のディスプレイ技術を組み込んだ電子ディスプレイ装置であってもよい。ディスプレイモジュールは、グラフィック画像および英数字データを静的（移動または変更がない）、または動的（例えば、スクロールあるいは他の移動または変更）フォーマットで電子的に表示するよう設定してもよい。さらに具体的には、ディスプレイモジュールは、有線または無線手段で制御装置に連結され、ユーザによって選択された任意のコンテンツを表示するよう、制御装置によって変更可能としてもよい。例えば、ディスプレイモジュールは、ビデオグラフィックスアダプタカードなどのディスプレイ駆動回路を経て制御装置に連結されてもよい。制御装置は、例えば、ソフトウェアで書き換え可能な汎用マイクロプロセッサ、またはＡＳＩＣ（特定用途向け集積回路）のような、任意の種類の電子論理回路を含んでもよい。ディスプレイモジュールの駆動装置は、制御装置に統合しても、またはＡＳＩＣに組み込んでもよい。制御装置はまた、外部との通信またはメモリへの読み込みのための無線コンポーネントに加えて、プロセッサおよびメモリを有し、ボードに組み込まれた１つまたは複数のディスプレイ駆動回路を有するシングルボードコンピュータの形式であってもよい。制御装置は、ＲＡＭ（ランダムアクセスメモリ）、ＲＯＭ（リードオンリーメモリ）、フラッシュまたはその他の不揮発性半導体電子記憶装置、ＥＥＰＲＯＭ（電気的消去可能プログラマブルリードオンリーメモリ）、または、磁気および／または光ディスク記憶装置を含む、デジタルデータの短期または長期の記憶に適した任意の形式の媒体であり得る記憶媒体に連結してもよい。記憶媒体は、例えば、制御装置によって実行するための制御ソフトウェア、および制御ソフトウェアの制御下で、ディスプレイモジュールによって表示するのに最適な映像コンテンツを記憶してもよい。
【００２４】
図１に図示したように、制御装置１２０は、ディスプレイモジュール（例えば、その１つまたは複数の側面）に対して側面に沿って配置されてもよい。ディスプレイモジュールおよび制御装置は、ほぼ同一平面に位置するよう配置されてもよく、いずれも薄く平らであってもよい。
【００２５】
本発明の実施形態は、参照により本明細書に組み込まれるものとする出願の任意の機能または特性をさらに含んでもよい。例えば、本発明の実施形態は、オーディオ装置、人の存在を検知し（動作検知装置など、ディスプレイハウジングの近くまたは直上に立っている人だけでなく）それに応じて処置を行うための検知装置、可変の画像方向、および顧客の質問に応じた製品情報の提供を含む双方向の機能を含むまたは関連してもよい。本発明の実施形態は、さらに、ネットワークでの有線または無線通信を可能としてもよい。
【００２６】
本発明のいくつかの実施形態は、本明細書に具体的に図示および／または記載されている。しかし、当然のことながら、本発明の修正および変更は、上記の教示によってカバーされ、本発明の精神および意図した範囲から逸脱することなく添付の特許請求の範囲内にある。
【図面の簡単な説明】
【００２７】
【図１】本発明の実施形態によるフロアディスプレイシステムの平面図である。
【図２】本発明の実施形態によるフロアディスプレイシステムの平面図である。
【図１】
2008510184.tif 000003
【図２】
2008510184.tif 000004
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
電子的に修正可能な言語情報と電子的に修正可能な図的情報とを表示可能な電子ディスプレイ装置であって、その上を歩く又はその上に立つことが可能な保護カバーを備えた電子ディスプレイ装置と、
人の検出に応じてアラートを発生させるアラート装置と、
を備えるフロアディスプレイシステム。
【請求項２】
前記電子ディスプレイ装置のためのハウジングをさらに備えるフロアディスプレイシステムであって、
前記アラート装置は、前記ハウジングの上又は近くに立っている人の前記検出に応じてアラートを発生させるように構成されている、請求項１に記載のフロアディスプレイシステム。
【請求項３】
前記アラートは振動を備える、請求項１に記載のフロアディスプレイシステム。
【請求項４】
前記アラートは光を備える、請求項１に記載のフロアディスプレイシステム。
【請求項５】
前記アラートは音を備える、請求項１に記載のフロアディスプレイシステム。
【請求項６】
前記検出は所定時間の前記ハウジング上の圧力に基づく、請求項２に記載のフロアディスプレイシステム。
【請求項７】
前記検出は所定時間の前記ハウジング上又は近くの光の強度変化に基づく、請求項２に記載のフロアディスプレイシステム。
【請求項８】
前記アラートは周期的である、請求項１に記載のフロアディスプレイシステム。
【請求項９】
前記アラートは連続的である、請求項１に記載のフロアディスプレイシステム。
【請求項１０】
前記アラートは強度が可変である、請求項１に記載のフロアディスプレイシステム。
【請求項１１】
前記アラートの持続時間が可変である、請求項１に記載のフロアディスプレイシステム。
【請求項１２】
前記ハウジングの上又は近くに立っている人に関連する物理的作用を記録するための少なくとも１つの検知装置をさらに備える、請求項２に記載のフロアディスプレイシステム。
【請求項１３】
前記検知装置からの入力に基づいて、人が前記ハウジングの上又は近くに立っているかを判断するための制御装置をさらに備える、請求項２に記載のフロアディスプレイシステム。
【請求項１４】
前記検知装置は圧力を検知する、請求項１２に記載のフロアディスプレイシステム。
【請求項１５】
前記検知装置は光を検知する、請求項１２に記載のフロアディスプレイシステム。
【請求項１６】
前記アラート装置は振動を発生するためのアクチュエータを備える、請求項２に記載のフロアディスプレイシステム。
【請求項１７】
前記アラート装置は視覚刺激を発生する、請求項１に記載のフロアディスプレイシステム。
【請求項１８】
前記アラート装置は聴覚刺激を発生する、請求項１に記載のフロアディスプレイシステム。
【請求項１９】
前記アクチュエータは圧電アクチュエータを含む、請求項１６に記載のフロアディスプレイシステム。
【請求項２０】
前記アラート装置は発光ダイオードを含む、請求項１７に記載のフロアディスプレイシステム。
【請求項２１】
前記アラート装置はストローブ信号を発生する、請求項１７に記載のフロアディスプレイシステム。
【請求項２２】
前記電子ディスプレイ装置は、液晶ディスプレイ、電子ペーパー、電子インク、発光ポリマー、有機発光ダイオード、マイクロカプセル化した部材、発光ダイオード、電子発光ディスプレー、プラズマディスプレイパネル、電界放出ディスプレイ、強誘電性ディスプレイ、光ファイバーディスプレイおよび画素のうち少なくとも１つを含む、請求項１に記載のフロアディスプレイシステム。
【請求項２３】
電子的に修正可能な図的情報を表示可能な電子ディスプレイ装置であって、その上を歩く又はその上に立つことが可能な保護カバーを備えた電子ディスプレイ装置と、
人の検出に応じてアラートを発生させるアラート装置と、
を備えるフロアディスプレイシステム。
【国際調査報告】
2008510184.tif 000005